(57)【要約】【課題】棒状化粧料を保護しつつクラッチ機能を発揮させて部品の損傷を防止し、且つ、回転トルクを円滑に伝達でき、且つ、バネ部を長寿命化する。【解決手段】雌螺子部材４の後端部に噛合部４ｂを設けると共に、容器後部２の内周面に凹溝部２ｂを設け、雌螺子部材４の後側にクラッチバネ部材５を配置し、クラッチバネ部材５を、その先端部に設けられ噛合部４ｂに噛合する噛合部５ｄと、噛合部５ｄより後側に設けられ噛合部５ｄを前方に向けて付勢するバネ部５ｂと、バネ部５ｂより前側の外周面に設けられて凹溝部２ｂに進入し容器後部２に対して軸線方向に移動可能且つ回転不能とされた凸部５ｅと、を有すると共に、バネ部５ｂより後側を容器後部２に対して軸線方向に移動不能とし、雌螺子部材４に螺合する移動体３に過大な回転トルクが作用したときに、バネ部５ｂが縮退することで両噛合部４ｂ，５ｄの軸線周りの噛合を解除可能とする。【選択図】図１
2011172802.tif 000002
【特許請求の範囲】
【請求項１】
容器前部及び容器後部を備えた筒状の容器と、前記容器前部に対し軸線周りに回転不能且つ軸線方向に移動可能とされ、先端に棒状化粧料を支持し外周部に雄螺子を備えた移動体と、前記容器前部に対し軸線周りに回転可能とされ、内周部に前記雄螺子に螺合する雌螺子を備えた雌螺子部材と、を具備し、前記容器前部と前記容器後部の相対回転によって、前記雄螺子及び前記雌螺子より構成された螺合部が働いて前記移動体が進退し前記棒状化粧料が容器先端の開口から出没する棒状化粧料繰出容器であって、
前記雌螺子部材は、その後端部に第一の噛合部を備えると共に、前記容器後部は、その内周面に軸線方向に延びる凹溝部を備え、
前記雌螺子部材の後側には、クラッチバネ部材が配置され、
前記クラッチバネ部材は、
先端部に設けられ前記第一の噛合部に対して軸線周りに噛合する第二の噛合部と、
前記第二の噛合部より後側に設けられ前記相対回転時に前記第二の噛合部と前記第一の噛合部との軸線周りの噛合が可能となるように前記第二の噛合部を前方に向けて付勢する軸線方向に伸縮可能なバネ部と、
前記バネ部より前側の外周面に設けられて前記凹溝部に進入し前記容器後部に対して軸線方向に移動可能且つ軸線周りに回転不能とされた凸部と、を有すると共に、前記バネ部より後側が前記容器後部に対して軸線方向に移動不能とされ、
前記移動体に過大な回転トルクが作用したときに、前記バネ部が縮退することで前記両噛合部の軸線周りの噛合が解除されることを特徴とする棒状化粧料繰出容器。
【請求項２】
前記クラッチバネ部材の前記第二の噛合部は、上方視において左右対称を成し前方に突出する山型形状を、周方向に複数並設したものであることを特徴とする請求項１記載の棒状化粧料繰出容器。
【発明の詳細な説明】
【技術分野】
【０００１】
本発明は、棒状化粧料を出没可能とする棒状化粧料繰出容器に関する。
【背景技術】
【０００２】
従来、棒状化粧料容器として、以下の特許文献１に記載のものが知られている。この棒状化粧料繰出容器は、容器前部及び容器後部を備えた筒状の容器内に、移動体及び雌螺子部材を収容し、雌螺子部材は、軸線方向前側から後側に向かって、移動体の外周面に設けられた雄螺子と螺合する雌螺子と、バネ部と、容器前部と容器後部の相対回転時に容器後部の第一の噛合部との軸線周りの噛合が可能となるようにバネ部により後方に向けて付勢された第二の噛合部と、を一体に備える構成とされている。
【０００３】
そして、この棒状化粧料繰出容器にあっては、容器前部と容器後部が相対回転されると、容器後部の第一の噛合部と雌螺子部材の第二の噛合部とが軸線周りに噛合し、雌螺子部材が容器後部に軸線周りに回転不能に連結され、容器前部に対し軸線周りに回転不能且つ軸線方向に移動可能とされた移動体のその雄螺子、及び、容器前部に対し軸線周りに回転可能とされ上記噛合により容器後部に回転不能に連結された雌螺子部材のその雌螺子より成る螺合部が働いて移動体が進退し、移動体の先端に支持された棒状化粧料が容器先端の開口から出没する一方で、移動体が前進限又は後退限に達しさらに移動体をそれ以上進めようとする相対回転力が付与され移動体に過大な回転トルクが作用すると、雌螺子部材のバネ部が縮退し雌螺子部材の第二の噛合部が雌螺子部材のバネ部の付勢力に抗して前進しつつ両噛合部の軸線周りの噛合が解除され、続いて、雌螺子部材の第二の噛合部が雌螺子部材のバネ部の付勢力により後退して両噛合部の噛合が軸線周りの隣の噛合位置で復帰する所謂クラッチとして機能し、部品の損傷を防止し得るようになっている。
【先行技術文献】
【特許文献】
【０００４】
【特許文献１】特開２００８−１７８６０４号公報
【発明の概要】
【発明が解決しようとする課題】
【０００５】
しかしながら、上記公報記載の棒状化粧料繰出容器にあっては、移動体が前進限又は後退限に達しさらに移動体をそれ以上進めようとする相対回転力が付与されると、雌螺子部材のバネ部が縮退し雌螺子部材の第二の噛合部が雌螺子部材のバネ部の付勢力に抗して前進しつつ両噛合部の軸線周りの噛合が解除されるわけであるが、このバネ部の縮退の際に、当該バネ部に相対回転による捩り力が作用して捩れ、この捩り力が、バネ部から前側の雌螺子に伝達され当該雌螺子に螺合している移動体に作用して、当該移動体の先端に支持されている棒状化粧料にも作用する結果、当該棒状化粧料が損傷する虞がある。
【０００６】
また、雌螺子部材は、その第二の噛合部が容器後部の第一の噛合部に軸線周りに噛合しているが、第二の噛合部以外は容器後部に対して軸線周りに回転可能であるため、棒状化粧料を進退させるために容器前部と容器後部に対して与えられる相対回転力は、バネ部が捩れながら伝達されることになり、従って、棒状化粧料を進退させるための回転トルクを円滑に伝達できない（タイムラグが生じる）という問題がある。
【０００７】
また、このようにバネ部に捩れ力が作用するため、バネ部の傷みが早いという問題もある。
【０００８】
本発明は、このような課題を解決するために成されたものであり、移動体が前進限又は後退限に達しさらに移動体をそれ以上進めようとする相対回転力が付与され移動体に過大な回転トルクが作用しても、棒状化粧料に捩り力が作用せずに棒状化粧料を保護しつつ、クラッチ機能を発揮させて部品の損傷を防止し、且つ、棒状化粧料を進退させるための相対回転による回転トルクを円滑に伝達でき、且つ、バネ部を長寿命化できる棒状化粧料繰出容器を提供することを目的とする。
【課題を解決するための手段】
【０００９】
本発明による棒状化粧料繰出容器は、容器前部及び容器後部を備えた筒状の容器と、容器前部に対し軸線周りに回転不能且つ軸線方向に移動可能とされ、先端に棒状化粧料を支持し外周部に雄螺子を備えた移動体と、容器前部に対し軸線周りに回転可能とされ、内周部に雄螺子に螺合する雌螺子を備えた雌螺子部材と、を具備し、容器前部と容器後部の相対回転によって、雄螺子及び雌螺子より構成された螺合部が働いて移動体が進退し棒状化粧料が容器先端の開口から出没する棒状化粧料繰出容器であって、雌螺子部材は、その後端部に第一の噛合部を備えると共に、容器後部は、その内周面に軸線方向に延びる凹溝部を備え、雌螺子部材の後側には、クラッチバネ部材が配置され、クラッチバネ部材は、先端部に設けられ第一の噛合部に対して軸線周りに噛合する第二の噛合部と、第二の噛合部より後側に設けられ相対回転時に第二の噛合部と第一の噛合部との軸線周りの噛合が可能となるように第二の噛合部を前方に向けて付勢する軸線方向に伸縮可能なバネ部と、バネ部より前側の外周面に設けられて凹溝部に進入し容器後部に対して軸線方向に移動可能且つ軸線周りに回転不能とされた凸部と、を有すると共に、バネ部より後側が容器後部に対して軸線方向に移動不能とされ、移動体に過大な回転トルクが作用したときに、バネ部が縮退することで両噛合部の軸線周りの噛合が解除されることを特徴としている。
【００１０】
このような棒状化粧料用繰出容器によれば、棒状化粧料を支持し容器前部に対して軸線周りに回転不能且つ軸線方向に移動可能とされた移動体のその雄螺子と螺合する雌螺子が、容器前部に対して軸線周りに回転可能とされた雌螺子部材に設けられ、軸線方向に伸縮するバネ部が、雌螺子部材の後側に位置し容器後部に対して軸線周りに回転不能とされたクラッチバネ部材に設けられ、このバネ部の付勢力によりクラッチバネ部材の先端部の第二の噛合部が雌螺子部材の後端部の第一の噛合部に軸線周りに噛合し、このように雌螺子とバネ部とが別々の部品に設けられているため、移動体が前進限又は後退限に達しさらに移動体をそれ以上進めようとする相対回転力が付与され移動体に過大な回転トルクが作用しても、雌螺子部材が捩れることは無く棒状化粧料に捩り力が作用せずに棒状化粧料を保護しつつ、バネ部が縮退することで両噛合部の軸線周りの噛合が解除されるクラッチ機能を発揮し、部品の損傷を防止できる。また、バネ部より前側の外周面に設けられた凸部が、容器後部の凹溝部に進入することで、クラッチバネ部材が容器後部に回転不能とされるため、容器前部と容器後部の相対回転による移動体の進退時にあっては、回転トルクは、バネ部を介さずに当該バネ部より前側の凸部を介して伝達され、当該バネ部が捩れることは無く、タイムラグ無く円滑に伝達される。また、このように、回転トルクは、バネ部を介さずに当該バネ部より前側の凸部を介して伝達され、当該バネ部が捩れることは無いため、バネ部を長寿命化できる。
【００１１】
ここで、クラッチバネ部材の第二の噛合部は、上方視において左右対称を成し前方に突出する山型形状を、周方向に複数並設したものであると、移動体が前進限又は後退限の何れの位置に達した場合でも、クラッチ機能を発揮できる。
【発明の効果】
【００１２】
このように本発明によれば、移動体が前進限又は後退限に達しさらに移動体をそれ以上進めようとする相対回転力が付与され移動体に過大な回転トルクが作用しても、棒状化粧料に捩り力が作用せずに棒状化粧料を保護しつつ、クラッチ機能を発揮させて部品の損傷を防止し、且つ、棒状化粧料を進退させるための相対回転による回転トルクを円滑に伝達でき、且つ、バネ部を長寿命化できる棒状化粧料繰出容器を提供することが可能となる。
【図面の簡単な説明】
【００１３】
【図１】本発明の実施形態に係る棒状化粧料繰出容器の初期状態を示す縦断面図である。
【図２】図１に示す状態から使用者の操作により棒状化粧料支持体が前進限に達したときの縦断面図である。
【図３】図１及び図２中の棒状化粧料カートリッジを示す斜視図である。
【図４】図３に示す棒状化粧料カートリッジの分解斜視図である。
【図５】図１及び図２中の本体筒を示す縦断面図である。
【図６】図１及び図２中の本体筒を示す背面図である。
【図７】図１及び図２中のクラッチバネ部材を示す斜視図である。
【図８】図１及び図２中のクラッチバネ部材を示す側面図である。
【発明を実施するための形態】
【００１４】
以下、本発明による棒状化粧料繰出容器の好適な実施形態について図１〜図８を参照しながら説明する。なお、各図において、同一の要素には同一の符号を付し、重複する説明は省略する。
【００１５】
図１は、本発明の実施形態に係る棒状化粧料繰出容器の初期状態を示す縦断面図、図２は、図１に示す状態から使用者の操作により棒状化粧料支持体が前進限に達したときの縦断面図、図３及び図４は、棒状化粧料カートリッジを示す図、図５及び図６は、本体筒を示す図、図７及び図８は、クラッチバネ部材を示す図であり、本実施形態の棒状化粧料繰出容器は、例えば、アイライナー、アイブロー、リップライナー、コンシーラー等を始めとした種々の棒状化粧料を収容し、使用者が必要に応じて適宜出没可能とするものである。
【００１６】
図１に示すように、棒状化粧料繰出容器１００は、全体形状が筆記具の如き細長い丸棒状（スティック状）を成し良好な外観を呈するもので、容器前部を構成する棒状化粧料カートリッジ１（図３参照）と、容器後部を構成する本体筒２と、を外形構成として具備し、これらの棒状化粧料カートリッジ１及び本体筒２内に、棒状化粧料Ｍと、これを支持する移動体である棒状化粧料支持体３と、クラッチ機構の一方及び螺合部（螺合機構）を構成する雌螺子部材４と、クラッチ機構の他方を構成するクラッチバネ部材５とを収容して成る。
【００１７】
本体筒２は、図５及び図６に示すように、円筒状を成し、その後半部の内周面で周方向の四等配位置に、軸線方向に延びる突条２ａが形成され、これらの突条２ａが形成されることで突条２ａ，２ａ間に軸線方向に延びる凹溝部２ｂが形成されている。この凹溝部２ｂは、クラッチバネ部材５を回転方向に係合するためのものである。また、本体筒２は、図５に示すように、その後端部の内周面に、クラッチバネ部材５の後端部を軸線方向に係合するための係合部２ｃを備えると共に、その内周面で突条２ａより多少前側の位置に、棒状化粧料カートリッジ１を軸線方向に係合するための突起２ｈを備えている。
【００１８】
図１、図３及び図４に示すように、棒状化粧料カートリッジ１は、棒状化粧料Ｍを収容する段付き円筒形状の先筒１１と、先筒１１内に配置されて軸線方向に延在し棒状化粧料Ｍを支持する棒状化粧料支持体３と、この棒状化粧料支持体３と螺合する雌螺子部材４と、を備えている。
【００１９】
先筒１１は、本体筒２から突出し指で摘まれる大径部１１ａと、この大径部１１ａの後端に連設されて本体筒２内に収容される小径部１１ｂと、を有する。図１に示すように、先筒１１の筒孔は、その前半部が、棒状化粧料Ｍを収容し摺動を可能とする棒状化粧料孔１１ｃとされ、筒孔の後半部が、段差部を介して大径とされ雌螺子部材４を収容するための孔とされている。
【００２０】
先筒１１には、棒状化粧料孔１１ｃの先端近傍から当該棒状化粧料孔１１ｃの後端に亘って当該棒状化粧料孔１１ｃの周面の複数箇所（本実施形態では四等配の位置）に、棒状化粧料支持体３の後述する支持片３ｄ（図４参照）を収容し摺動を可能とする支持片溝１１ｄが連設され、これらの棒状化粧料孔１１ｃ及び支持片溝１１ｄにより、棒状化粧料Ｍ及び支持片３ｄが摺動する進退孔１１ｅが構成されている。
【００２１】
また、先筒１１の雌螺子部材４を収容するための孔の軸線方向略中央には、雌螺子部材４を軸線方向に係合するための係合部１１ｇが形成されると共に、その小径部１１ｂの後端部の外周面には、本体筒２の突起２ｈに軸線方向に係合する環状凹部１１ｈが形成されている。
【００２２】
雌螺子部材４は、円筒形状を成し、筒孔の内周面に、軸線方向に沿って雌螺子４ａを備えている。この雌螺子部材４には、その軸線方向略中央の外周面に、先筒１１の係合部１１ｇに軸線方向に係合する係合部４ｇが形成されている。
【００２３】
また、雌螺子部材４の後端部には、図１、図３及び図４に示すように、その外周面で周方向の八等配の位置に、軸線方向に沿って延びるリブ４ｂが設けられている。このリブ４ｂは、軸線方向視において左右対称の山型形状を成すと共に、その後端面に、上端面から下端面に向けて４５°の下り勾配で傾斜する傾斜面４ｃを備えている。そして、これらのリブ４ｂが第一の噛合部を構成し、クラッチ機構の一方を構成する。
【００２４】
この雌螺子部材４は、図１及び図４に示すように、先筒１１の筒孔の後側から内挿され、その環状鍔部４ｄが先筒１１の後端面に突き当てられ、その係合部４ｇが先筒１１の係合部１１ｇに軸線方向に係合することで、図３に示すように、先筒１１に対して軸線周りに回転可能且つ軸線方向に移動不能に装着されている。
【００２５】
棒状化粧料支持体３は、図１及び図４に示すように、棒状化粧料Ｍの後端部を支持するための支持部３ａと、この支持部３ａより後側の軸体部３ｂと、を備えている。軸体部３ｂは、軸線方向に延在する軸体であり、当該軸体部３ｂの後端部の外周面には、雄螺子として機能する螺合突起３ｅが設けられている。支持部３ａは、棒状化粧料Ｍの後端面を突き当てるための基部３ｃと、この基部３ｃに突き当てられた棒状化粧料Ｍの後端部を支持するための複数の支持片３ｄと、を備えている。支持片３ｄは、基部３ｃにおける外周面の周方向の複数位置（本実施形態では四等配の位置）に先端側に向かって突出するように設けられ、これらの支持片３ｄ，３ｄ同士の間に、棒状化粧料Ｍの後端部が嵌め込まれて支持される。
【００２６】
この支持部３ａ及び軸体部３ｂを有する棒状化粧料支持体３は、図１に示すように、その基部３ｃが先筒１１の棒状化粧料孔１１ｃに進入すると共にその支持片３ｄが先筒１１の支持片溝１１ｄに進入するようにして、進退孔１１ｅに内挿され、支持片溝１１ｄが、棒状化粧料支持体３の回り止めとされて棒状化粧料支持体３を軸線周りに回転不能且つ軸線方向に移動可能に係合すると共に、その軸体部３ｂが雌螺子部材４に内挿され、軸体部３ｂの後端部の螺合突起３ｅが雌螺子部材４の内周面の雌螺子４ａに螺合した状態とされている。
【００２７】
そして、支持片溝１１ｄの先端面が、棒状化粧料支持体３の支持片３ｄの先端面が突き当たる棒状化粧料支持体３の前進限とされ、雌螺子部材４の先端面が、棒状化粧料支持体３の基部３ｃ（支持部３ａ）の後端面が突き当たる棒状化粧料支持体３の後退限とされている。なお、棒状化粧料支持体３の軸体部３ｂの後端面が、雌螺子部材４の内側の後端面（内側の底面）に突き当たることで、棒状化粧料支持体３の後退限とする場合もある。
【００２８】
このような先筒１１、棒状化粧料Ｍ、棒状化粧料支持体３、雌螺子部材４を有する棒状化粧料カートリッジ１は、本体筒２の筒孔の前側から内挿され、先筒１１の大径部１１ａと小径部１１ｂとの間の段差面１１ｆが、本体筒２の先端面に突き当てられ、その環状凹部１１ｈが本体筒２の突起２ｈに軸線方向に係合することで、本体筒２に対して着脱可能且つ軸線周りに回転可能に装着されている。
【００２９】
クラッチバネ部材５は、図１、図７及び図８に示すように、略円筒状に構成された樹脂による一体成形品であり、その先端部のクラッチ筒部５ａと、その後端側の装着部５ｃと、これらのクラッチ筒部５ａと装着部５ｃを接続し軸線方向に伸縮可能なバネ部５ｂと、を具備する。
【００３０】
クラッチ筒部５ａは、その先端の外周面で周方向の四等配の位置に、先端から前方に突出する突起部５ｄを有する。この突起部５ｄは、上方視において左右対称を成し前方に突出する山型形状を呈している。これらの突起部５ｄは、本体筒２の第一の噛合部であるリブ４ｂに軸線周りに噛合するための第二の噛合部である。
【００３１】
また、クラッチ筒部５ａは、その外周面に、突起部５ｄの後端を後側のバネ部５ｂまで延ばした凸部（突条）５ｅを備えている。これらの突起部５ｄ及びこれに連設されて後方に延びる凸部５ｅは、本体筒２の凹溝部２ｂに進入し回転方向に係合するためのものである。
【００３２】
バネ部５ｂは、ほぼ螺旋状のスリットを備えるものであり、このスリットにより、クラッチ筒部５ａの第二の噛合部である突起部５ｄを前方に付勢する圧縮バネとして機能し、これらのバネ部５ｂ及び突起部（第二の噛合部）５ｄがクラッチ機構の他方を構成する。
【００３３】
装着部５ｃは、バネ部５ｂの後端に連設された円筒部であり、その外周面で、クラッチ筒部５ａの突起部５ｄの後方に離間した位置に、本体筒２の凹溝部２ｂに進入し回転方向に係合する凸部（突条）５ｆを有している。また、装着部５ｃの後部には、本体筒２の係合部２ｃに軸線方向に係合する係合部５ｇが形成されている。
【００３４】
これらのクラッチ筒部５ａ、バネ部５ｂ及び装着部５ｃを有するクラッチバネ部材５は、図１に示すように、本体筒２の筒孔の後側から、その突起部５ｄと本体筒２の凹溝部２ｂとが合うようにして内挿され、装着部５ｃの後部の環状鍔部５ｈが、本体筒２の後端面に形成された環状凹部２ｄ（図５参照）内に進入し突き当てられ、その突起部５ｄ及び凸部５ｅ，５ｆが本体筒２の凹溝部２ｂに進入して回転方向に係合し、さらに、その装着部５ｃの係合部５ｇが本体筒２の係合部２ｃに軸線方向に係合することで、その装着部５ｃが本体筒２に対して回転不能且つ軸線方向に移動不能とされると共に、そのクラッチ筒部５ａ、バネ部５ｂが本体筒２に対して回転不能且つ軸線方向に移動可能とされる。
【００３５】
そして、この状態で、クラッチバネ部材５の突起部５ｄが、そのバネ部５ｂにより前側に付勢されることにより、雌螺子部材４のリブ４ｂ，４ｂ同士の間に進入し、先筒１１と本体筒２との相対回転時において軸線周りに噛合可能とされている。
【００３６】
このような本実施形態の棒状化粧料繰出容器１００にあっては、使用者により先筒１１と本体筒２とが一方向である繰り出し方向に相対回転されると、雌螺子部材４のリブ４ｂとクラッチバネ部材５の突起部５ｄが軸線周りに噛合して雌螺子部材４がクラッチバネ部材５を介して本体筒２に軸線周りに回転不能（同期回転可能）に連結され、先筒１１に対し軸線周りに回転不能且つ軸線方向に移動可能とされた棒状化粧料支持体３のその螺合突起３ｅ、及び、先筒１１に対し軸線周りに回転可能とされると共に上記噛合により本体筒２に回転不能に連結された雌螺子部材４のその雌螺子４ａより成る螺合部が働き、図２に示すように、棒状化粧料支持体３が前進し、棒状化粧料Ｍが先筒１１の先端の開口から出現し使用状態とされる。
【００３７】
また、使用者により先筒１１と本体筒２とが一方向の反対方向である繰り戻し方向に相対回転されると、棒状化粧料支持体３が後退し、棒状化粧料Ｍが先筒１の先端の開口から没入する。
【００３８】
ここで、図２に示すように、棒状化粧料支持体３の支持片３ｄの先端面が支持片溝１１ｄの先端面に突き当たって棒状化粧料支持体３が前進限に達し、また、図１に示すように、棒状化粧料支持体３の基部３ｃの後端面が雌螺子部材４の先端面に突き当たって棒状化粧料支持体３が後退限に達し（又は、棒状化粧料支持体３の軸体部３ｂの後端面が、雌螺子部材４の内側の後端面（内側の底面）に突き当たって棒状化粧料支持体３が後退限に達し）、これらの進退限でさらに棒状化粧料支持体３をそれ以上進めようとする相対回転力が付与され棒状化粧料支持体３に過大な回転トルクが作用した場合には、クラッチバネ部材５のバネ部５ｂが縮退しクラッチ筒部５ａが後退しつつ第一の噛合部（雌螺子部材４のリブ４ｂ）と第二の噛合部（クラッチバネ部材５の突起部５ｄ）の軸線周りの噛合が解除され、続いて、クラッチバネ部材５のクラッチ筒部５ａがバネ部５ｂの付勢力により前進して両噛合部４ｂ，５ｄの噛合が回転方向の隣の噛み合い位置で復帰し、所謂クラッチとして機能する。
【００３９】
このとき、本実施形態の棒状化粧料繰出容器１００においては、棒状化粧料支持体３の螺合突起３ｅに螺合する雌螺子４ａとバネ部５ｂとが別々の部品に設けられていることから、雌螺子部材４が捩れることは無く棒状化粧料Ｍに捩り力が作用せずに棒状化粧料Ｍを保護しつつ、クラッチ機能を発揮して部品の損傷を防止できる。因みに、従来においては、雌螺子とバネ部が一つの部品に設けられていたため、バネ部が捩れ、この捩り力がバネ部から前側の雌螺子に伝達され当該雌螺子に螺合している移動体に作用して、当該移動体の先端に支持されている棒状化粧料にも作用する結果、当該棒状化粧料が損傷する虞があった。
【００４０】
また、本実施形態においては、クラッチバネ部材５のバネ部５ｂより前側の外周面に設けられた突起部５ｄ及び凸部５ｅが、本体筒２の凹溝部２ｂに進入し、クラッチバネ部材５が本体筒２に回転不能とされているため、使用者により先筒１１と本体筒２とが繰り出し又は繰り戻し方向に相対回転されて棒状化粧料Ｍを進退させる状態にあっては、回転トルクは、バネ部５ｂを介さずに当該バネ部５ｂより前側の突起部５ｄ及び凸部５ｅを介して伝達され、当該バネ部５ｂが捩れることは無く、タイムラグ無く円滑に伝達できる。また、このように、回転トルクが、バネ部５ｂを介さずに当該バネ部５ｂより前側の突起部５ｄ及び凸部５ｅを介して伝達され、当該バネ部５ｂが捩れることが無いため、バネ部５ｂを長寿命化できる。
【００４１】
なお、ここでは、突起部５ｄも本体筒２の凹溝部２ｂに進入するようにしているが、突起部５ｄを、この実施形態よりも軸線方向内側に設けて本体筒２の凹溝部２ｂに進入しないようにし、凸部５ｅのみが凹溝部２ｂに進入するように構成しても良く、また、凸部５ｅを無くし、突起部５ｄが凹溝部２ｂに進入する凸部とされて本体筒２に対する回転方向の係合機能を有すると共に噛合部の機能を有するようにしても良い。
【００４２】
また、本実施形態においては、クラッチバネ部材５の第二の噛合部は、上方視において左右対称を成し前方に突出する山型形状を、周方向に複数並設したものであるから、棒状化粧料支持体３が前進限又は後退限の何れの位置に達した場合でも、クラッチ機能を発揮できる。
【００４３】
また、本実施形態においては、本体筒２に対してクラッチバネ部材５を軸線周りに回転不能とするための構成を、本体筒２に凹溝部２ｂを設ける構成としているため、本体筒２の外径を大きくせず、小径化が図られている。
【００４４】
なお、先筒１１の係合部１１ｇに対する雌螺子部材４の係合部４ｇの軸線方向の係合において、その係合を軸線方向に積極的に隙間（ガタ）を有する係合としても良い。このような構成を採用し、雌螺子部材４の軸線方向の若干の移動を可能とすることにより、例えば棒状化粧料繰出容器１００の落下等による衝撃や振動等の外力作用時に棒状化粧料Ｍに作用する衝撃を、棒状化粧料支持体３、雌螺子部材４を介してクラッチバネ部材５のバネ部５ｂが伸縮することで吸収・緩和でき、当該棒状化粧料Ｍの棒状化粧料支持体３の支持部３ａからの抜けを防止できる。また、棒状化粧料Ｍが被塗布部に塗布される際にあっては、棒状化粧料支持体３、雌螺子部材４を介してクラッチバネ部材５のバネ部５ｂが伸縮するため、適度な筆圧となり、使用感を向上できると共に、適度な筆圧とすることにより棒状化粧料Ｍの折れを防止できる。
【００４５】
以上、本発明をその実施形態に基づき具体的に説明したが、本発明は上記実施形態に限定されるものではなく、例えば、上記実施形態においては、棒状化粧料カートリッジ１を本体筒２に対して着脱可能としているが、離脱不能としても良く、また、カートリッジの形を採らなくても良い。
【００４６】
また、雄螺子、雌螺子は、間欠的に配される突起群又は螺旋状且つ間欠的に配される突起群のように螺子山と同様な働きをするものであっても良く、また、螺合突起は、連続する螺子山であっても良い。
【符号の説明】
【００４７】
１…棒状化粧料カートリッジ、２…本体筒（容器後部）、２ｂ…凹溝部、３…棒状化粧料支持体（移動体）、３ｅ…螺合突起（雄螺子）、４…雌螺子部材、４ａ…雌螺子、４ｂ…リブ（第一の噛合部）、５…クラッチバネ部材、５ｂ…バネ部、５ｄ…突起部（第二の噛合部）、５ｅ…凸部、１１…先筒（容器前部）、１００…棒状化粧料繰出容器、Ｍ…棒状化粧料。
【図１】
2011172802.tif 000003
【図２】
2011172802.tif 000004
【図３】
2011172802.tif 000005
【図４】
2011172802.tif 000006
【図５】
2011172802.tif 000007
【図６】
2011172802.tif 000008
【図７】
2011172802.tif 000009
【図８】
2011172802.tif 000010